(57)【要約】【課題】貯液タンクに貯留された液剤を用いて洗車を行う洗車機および洗車機システムにおいて、所定の洗車効果が得られる正規の液剤の使用を推奨して所定の洗車効果を発揮することが可能な洗車機および洗車機システムを提供する。【解決手段】洗車機の駆動条件を設定し、設定された条件に基づいて洗車機を駆動する操作パネル７を備え、前記操作パネルに、液剤の製品情報を入力する入力部７２と、入力された製品情報を記憶する記憶部８１と、入力された製品情報の正誤を判定する判定部８２と、判定された製品情報の正誤により所定の制御を行う制御部８０を設ける構成の洗車機とし、所定の液剤の製品情報が正規の液剤の製品情報であると判定したときに前記所定の液剤を用いた洗浄操作を許可する構成の洗車機システムとした。【選択図】図１
2010006260.tif 000002
【特許請求の範囲】
【請求項１】
被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機であって、
洗車機の駆動条件を設定し、設定された条件に基づいて洗車機を駆動する操作パネルを備え、
前記操作パネルに、前記液剤の製品情報を入力する入力部と、入力された製品情報を記憶する記憶部と、入力された製品情報の正誤を判定する判定部と、判定された製品情報の正誤に応じた所定の制御を行う制御部を設けたことを特徴とする洗車機。
【請求項２】
前記液剤の残存量が下限値まで減少したことを検知する第一液剤検知センサと、該第一センサより増液した位置に設ける第二液剤検知センサとを設け、前記第一液剤検知センサが液剤の下限値を検出した後で、前記第二液剤検知センサが増液を検知したときに、新たな液剤を補給したと判断して、新たな製品情報の入力を要求することを特徴とする請求項１に記載の洗車機。
【請求項３】
前記液剤の製品情報が入力されていない場合、もしくは、入力された製品情報が正規の液剤の製品情報ではないと判定された場合に、所定の洗車モードの選択を禁止することを特徴とする請求項１または２に記載の洗車機。
【請求項４】
前記液剤の製品情報が入力されていない場合、もしくは、入力された製品情報が正規の液剤の製品情報ではないと判定された場合に、前記液剤の使用を禁止することを特徴とする請求項１または２に記載の洗車機。
【請求項５】
前記操作パネルに表示部を設け、前記液剤の製品情報が入力されていない場合、もしくは、入力された製品情報が正規の液剤の製品情報ではないと判定された場合に、前記表示部に、純正の液剤の使用を推奨するメッセージを表示することを特徴とする請求項１または２に記載の洗車機。
【請求項６】
前記製品情報は、純正の液剤のパッケージに記載された製品情報であることを特徴とする請求項１から５のいずれかに記載の洗車機。
【請求項７】
被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機システムであって、
洗車機の駆動条件を設定し、設定された条件に基づいて洗車機を駆動する操作パネルを備え、
前記操作パネルに、前記液剤の製品情報を入力する入力部と、入力された製品情報を記憶する記憶部と、入力された製品情報の正誤を判定する判定部と、判定された製品情報の正誤により所定の制御を行う制御部を設け、
所定の液剤の製品情報が正規の液剤の製品情報であると判定したときに、前記所定の液剤を用いた洗浄操作を許可する構成としたことを特徴とする洗車機システム。
【請求項８】
前記液剤の残存量が下限値まで減少したことを検知する第一液剤検知センサと、該第一センサより増液した位置に設ける第二液剤検知センサとを設け、前記第一液剤検知センサが液剤の下限値を検出した後で、前記第二液剤検知センサが増液を検知したときに、新たな液剤を補給したと判定して、新たな製品情報の入力を要求することを特徴とする請求項７に記載の洗車機システム。
【請求項９】
前記液剤の製品情報が入力されていない場合、もしくは、入力された製品情報が正規の液剤の製品情報ではないと判定された場合に、所定の洗車モードの選択を禁止することを特徴とする請求項７または８に記載の洗車機システム。
【請求項１０】
前記液剤の製品情報が入力されていない場合、もしくは、入力された製品情報が正規の液剤の製品情報ではないと判定された場合に、前記液剤の使用を禁止することを特徴とする請求項７または８に記載の洗車機システム。
【請求項１１】
前記操作パネルに表示部を設け、前記液剤の製品情報が入力されていない場合、もしくは、入力された製品情報が正規の液剤の製品情報ではないと判定された場合に、前記表示部に、純正の液剤の使用を推奨するメッセージを表示することを特徴とする請求項７または８に記載の洗車機システム。
【請求項１２】
前記製品情報は、純正の液剤のパッケージに記載された製品情報であることを特徴とする請求項７から１１のいずれかに記載の洗車機システム。
【請求項１３】
前記操作パネルに入力する前記製品情報は、同じ製品情報を複数回入力可能としていることを特徴とする請求項７から１２のいずれかに記載の洗車機システム。
【請求項１４】
前記操作パネルに、同じ製品情報を入力する回数は、新たな液剤を収容しているパッケージサイズに応じて変更可能であることを特徴とする請求項１３に記載の洗車機システム。
【発明の詳細な説明】
【技術分野】
【０００１】
本発明は、貯液タンクに貯留された液剤を用いて洗車を行う洗車機及び洗車機システムに関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗車の際に用いる液剤としては、各種のシャンプーやワックスやコート類が用いられており、被洗浄車両のタイプや表面塗層に適した各種液剤が提案されている。これらの各種液剤は、それぞれ専用の貯液タンクに貯留されており、タンク内に挿入されたチューブを介して、洗車工程の処理に応じて噴霧され消費されていく。また、複数の洗車モードから所望のモードを選択し、使用する液剤の種類を選択して所定の洗車モードに設定する操作パネルを設置している。
【０００４】
洗車を行い液剤が消費されると、貯液タンクに新たな液剤を供給する必要が生じ、給油所の従業者や洗車機の管理者などが、液剤が消費された、または、液剤の残存量が少なくなった貯留タンクに所定の液剤を補給するようにしている。
【０００５】
液剤として複数種類の液剤を使用する洗車機であれば、複数の液剤を必要に応じてその都度補給する必要が生じる。そのために、洗車機内に設ける貯液タンクが複数段に配置されている場合に、上段以外の貯液タンクを引き出し自在とし、液剤の補給を容易とする洗車機が既に提案されている（例えば、特許文献１参照）。
【０００６】
上記の構成であれば、複数の貯液タンクを備え、複数の液剤を貯留して複数の洗車モードを選択可能な洗車機となり、複数の貯液タンクを備えた構成であっても、液剤の補給を容易に行うことができる。
【特許文献１】特開２００５−１８６８２０号公報
【発明の開示】
【発明が解決しようとする課題】
【０００７】
しかし、最近は、洗車後の排水が環境を汚染しないようにすることも求められてきており、環境ホルモン物質やリン規制対象物質を含有しない液剤を使用することが推奨されている。
【０００８】
また、所望される洗車効果を得るためには、所定の規定された液剤を使用することが好ましく、所定の成分を含有し、所定の機能を発揮する液剤を使用しない洗車であれば、所望の洗車効果を得ることは困難である。
【０００９】
そのために、単に液剤の補給が容易である構成だけでは不十分であって、所定の規定された液剤を正しく補給する構成であることが好ましい。所定の成分や機能を発揮する液剤であれば他社製品であっても使用することは問題ないが、安価で入手しやすい液剤は、通常、不適当な成分を含有している場合や、所定の機能を発揮しない場合が多いので、このような液剤を使用することは好ましくない。
【００１０】
本発明は、上記問題点に鑑み、貯液タンクに貯留された液剤を用いて洗車を行う洗車機および洗車機システムにおいて、所定の洗車効果が得られる正規の液剤の使用を推奨して所定の洗車効果を発揮することが可能な洗車機および洗車機システムを提供することを目的とする。
【課題を解決するための手段】
【００１１】
上記目的を達成するために本発明は、被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機であって、洗車機の駆動条件を設定し、設定された条件に基づいて洗車機を駆動する操作パネルを備え、前記操作パネルに、前記液剤の製品情報を入力する入力部と、入力された製品情報を記憶する記憶部と、入力された製品情報の正誤を判定する判定部と、判定された製品情報の正誤に応じた所定の制御を行う制御部を設けたことを特徴としている。
【００１２】
この構成によると、供給される液剤が正規の製品であるか否かが判定できるので、製品情報に応じた適当な洗車モードに制御することができ、液剤に応じた所定の洗車効果を発揮することができる。
【００１３】
また本発明は、上記構成の洗車機において、前記液剤の残存量が下限値まで減少したことを検知する第一液剤検知センサと、該第一センサより増液した位置に設ける第二液剤検知センサとを設け、前記第一液剤検知センサが液剤の下限値を検出した後で、前記第二液剤検知センサが増液を検知したときに、新たな液剤を補給したと判断して、新たな製品情報の入力を要求することを特徴としている。この構成によると、液剤を補給する操作に連動して新たな製品情報を入力する必要が生じるので、正規の製品でない不適当な液剤の使用を防止することができる。
【００１４】
また本発明は、上記構成の洗車機において、前記液剤の製品情報が入力されていない場合、もしくは、入力された製品情報が正規の液剤の製品情報ではないと判定された場合に、所定の洗車モードの選択を禁止することを特徴としている。この構成によると、正規の液剤が供給されていない場合には、所定の洗車効果が得られない虞がある洗車モードを予め禁止することができ、ユーザーにとって有効となる。
【００１５】
また本発明は、上記構成の洗車機において、前記液剤の製品情報が入力されていない場合、もしくは、入力された製品情報が正規の液剤の製品情報ではないと判定された場合に、前記液剤の使用を禁止する制御を行うことを特徴としている。この構成によると、正規の液剤が供給されていない場合には、その液剤を用いた洗車を行わないので、不適当な液剤の使用を前もって防止することができる。
【００１６】
また本発明は、上記構成の洗車機において、前記操作パネルに表示部を設け、前記液剤の製品情報が入力されていない場合、もしくは、入力された製品情報が正規の液剤の製品情報ではないと判定された場合に、前記表示部に、純正の液剤の使用を推奨するメッセージを表示することを特徴としている。この構成によると、液剤補給の際に誤った液剤を補給してしまったときに、洗車を開始する前にその旨を告知することができ、所定の洗車機能を提供する管理者にとっても、所望の洗車効果を期待するユーザーにとっても好ましい洗車機となる。
【００１７】
また本発明は、上記構成の洗車機において、前記製品情報は、純正の液剤のパッケージに記載された製品情報であることを特徴としている。この構成によると、純正の液剤を補給する際に、正しい製品情報を間違いなく入力可能となり、正規の製品を使用するユーザーにとって操作容易となる。
【００１８】
また本発明は、被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機システムであって、洗車機の駆動条件を設定し、設定された条件に基づいて洗車機を駆動する操作パネルを備え、前記操作パネルに、前記液剤の製品情報を入力する入力部と、入力された製品情報を記憶する記憶部と、入力された製品情報の正誤を判定する判定部と、判定された製品情報の正誤により所定の制御を行う制御部を設け、所定の液剤の製品情報が正規の液剤の製品情報であると判定したときに、前記所定の液剤を用いた洗浄操作を許可する構成としたことを特徴としている。
【００１９】
この構成によると、正規の液剤が正しく供給されていない場合は洗浄操作が許可されないので、正規の液剤を使用した洗浄を間違いなく行うことができ、所定の洗車効果を発揮する洗車機システムとなる。
【００２０】
また本発明は、上記構成の洗車機システムにおいて、前記液剤の残存量が下限値まで減少したことを検知する第一液剤検知センサと、該第一センサより増液した位置に設ける第二液剤検知センサとを設け、前記第一液剤検知センサが液剤の下限値を検出した後で、前記第二液剤検知センサが増液を検知したときに、新たな液剤を補給したと判定して、新たな製品情報の入力を要求することを特徴としている。この構成によると、液剤を補給する度に正規の液剤かどうかを確認するので、不正の液剤の使用を防止可能な洗車機システムとなる。
【００２１】
また本発明は、上記構成の洗車機システムにおいて、前記液剤の製品情報が入力されていない場合、もしくは、入力された製品情報が正規の液剤の製品情報ではないと判定された場合に、所定の洗車モードの選択を禁止することを特徴としている。この構成によると、正規の液剤が供給できない場合には、所定の洗車効果が得られない虞がある洗車モードを予め禁止することができ、ユーザーにとって有効な洗車機システムとなる。
【００２２】
また本発明は、上記構成の洗車機システムにおいて、前記液剤の製品情報が入力されていない場合、もしくは、入力された製品情報が正規の液剤の製品情報ではないと判定された場合に、液剤の使用を禁止する制御を行うことを特徴としている。この構成によると、正規の液剤でなければ、この液剤を用いた洗車を行うことができないので、ユーザーに正規の液剤を使用することを喚起することができる。
【００２３】
また本発明は、上記構成の洗車機システムにおいて、前記操作パネルに表示部を設け、前記液剤の製品情報が入力されていない場合、もしくは、入力された製品情報が正規の液剤の製品情報ではないと判定された場合に、前記表示部に、純正の液剤の使用を推奨するメッセージを表示することを特徴としている。この構成によると、液剤の供給や補給の際に誤った液剤を使用してしまったときに、洗車を開始する前にその旨を告知することができ、所定の洗車機能を提供する管理者にとっても、所望の洗車効果を期待するユーザーにとっても好適な洗車機システムとなる。
【００２４】
また本発明は、上記構成の洗車機システムにおいて、前記製品情報は、純正の液剤のパッケージに記載された製品情報であることを特徴としている。この構成によると、純正の液剤を補給する際に、正しい製品情報を間違いなく入力可能な洗車機システムとなり、正規の製品を使用するユーザーにとって操作容易となる。
【００２５】
また本発明は、上記構成の洗車機システムにおいて、前記操作パネルに入力する前記製品情報は、同じ製品情報を複数回入力可能としていることを特徴としている。この構成によると、大きなパッケージに収納された純正の液剤を複数回に分けて繰り返し補給することができ、大きなパッケージサイズで運搬・貯蔵可能となる。
【００２６】
また本発明は、上記構成の洗車機システムにおいて、前記操作パネルに、同じ製品情報を入力する回数は、新たな液剤を収容しているパッケージサイズに応じて変更可能であることを特徴としている。この構成によると、正規の液剤のパッケージサイズに適宜対応可能であるので、任意の多品種の液剤に対応可能な洗車機システムとなる。
【発明の効果】
【００２７】
本発明によれば、液剤の製品情報を入力する入力部と、入力された製品情報を記憶する記憶部と、入力された製品情報の正誤を判定する判定部と、判定された製品情報の正誤により所定の制御を行う制御部を備えた構成の洗車機とし、所定の液剤の製品情報が正規の液剤の製品情報であると判定したときに前記所定の液剤を用いた洗浄操作を許可する構成の洗車機システムとしているので、所定の洗車効果が得られる正規の液剤の使用を推奨して所定の洗車効果を発揮することが可能な洗車機および洗車機システムを得ることができる。
【発明を実施するための最良の形態】
【００２８】
以下に本発明の実施形態を図面を参照して説明する。図１は本発明に係る洗車機の要部構成を示す概略説明図である。図２は本発明に係る洗車機の配管状態を示す概略説明図である。図３は洗車機の第一実施形態の全体構成を示す側面図である。図４は洗車機の第二実施形態の全体構成を示す側面図である。また、同一構成部材については同一の符号を用い、詳細な説明は適宜省略する。
【００２９】
先ず、本発明に係る洗車機の全体構成について図３および図４を用いて説明する。図３に示す実施形態の洗車機ＷＡは、洗浄部材と乾燥部材とを一体に装着し、被洗浄車両ＣＡを跨ぐように門型とされる洗車機本体１を備えており、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両の洗車を行う。図４に示す実施形態の洗車機ＷＢは、洗浄部材を備えた洗浄機本体１Ａと乾燥部材を備えた乾燥機本体１Ｂとを別体として、それぞれが、被洗浄車両ＣＡを跨ぐように門型とされており、被洗浄車両ＣＡと洗浄機本体１Ａと乾燥機本体１Ｂとを前後方向に相対移動させながら、被洗浄車両ＣＡの洗車を行う。また、いずれの洗車機であっても、洗車機もしくは被洗浄車両の少なくとも一方を移動させることで、被洗浄車両の全長に亘って洗浄することができる。本実施形態においては、洗車機ＷＡにおいては洗車機本体１が、洗車機ＷＢにおいては洗浄機本体１Ａと乾燥機本体１Ｂが、車輪３を介してレール２上に沿って走行移動する構成としている。
【００３０】
そのために、被洗浄車両ＣＡを、該被洗浄車両ＣＡを跨ぐ門型とされる洗車機の左右一対のレール間の所定の位置に停車して、後述する操作パネル７もしくはリモートパネル７Ａに設けられるスタートボタンを操作して、洗車操作を開始することができる。
【００３１】
門型の洗車機本体１および洗浄機本体１Ａは、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。また、これらのブラシ以外にも、所望される位置に他のブラシを配設することができる。
【００３２】
また、ブラッシングの際に使用する洗浄水や各種液剤を噴霧する各種ノズルや各種液剤を貯液する貯液タンクを備えている。例えば、第一浄水ノズル１１、第一洗剤ノズル１２、第二浄水ノズル１３、撥水コートノズル１４、第二洗剤ノズル１５、ワックスノズル１６などが配設されている。
【００３３】
さらに、乾燥のために、洗車機ＷＡであれば洗車機本体１に一体的に、また、洗車機ＷＢであれば乾燥機本体１Ｂに、ブロワ２０と該ブロワ２０からの送風を吹き付ける昇降自在なトップ送風ノズル２１と左右一対のサイド送風ノズル２２を備えている。また、洗車機ＷＡ、ＷＢの駆動条件を設定し、設定された条件に基づいて洗車機ＷＡ、ＷＢを駆動する操作パネル７を設けている。８は、被洗浄車両ＣＡの有無および車高を検知するセンサであって、例えば、超音波を利用したソニックセンサが好適に用いられる。
【００３４】
操作パネル７には、後述するように、水洗いモードや、洗剤を用いた洗浄モードや、ワックスを塗布するワックスモードや、撥水剤をコートとする撥水モードなどを選択する選択ボタンや、ブラシの回転数を制御するブラシ回転スイッチや、スタート・ストップボタンなどが設けられている。また、複数の液剤タイプからいずれかの液剤を選択可能とする液剤タイプ選択ボタンを設けることもできる。さらに、本実施形態においては、各種液剤の製品情報を入力する入力部と、入力された製品情報を記憶する記憶部と、入力された製品情報の正誤を判定する判定部と、判定された製品情報の正誤に応じた所定の制御を行う制御部を設けた構成としている。
【００３５】
上記の構成であれば、供給される液剤が正規の製品であるか否かが判定できるので、製品情報に応じた適当な洗車モードに制御することができ、液剤に応じた所定の洗車効果を発揮することができる。
【００３６】
次に液剤の噴霧手段と制御手段について図１を用いて説明する。
【００３７】
貯液タンク３１に貯留された液剤を、配管３４と液剤ポンプ３５を介して送り出し、貯水タンク３８からポンプ（不図示）により主給水ホース３９に送出される水を、電磁式の開閉弁３７を介して副給水ホース４０に分流し、サイフォン式の混合器であるサイフォンインジェクタ３６により所定割合の液剤を混合して、所定濃度の洗浄水としてノズルＮから噴霧している。
【００３８】
３２は液剤の供給口であり、３３は配管３４の差込口である。また、液剤ポンプ３５とサイフォンインジェクタ３６との間に逆止弁４１を設け、サイフォンインジェクタ３６による液剤の吸引が液剤ポンプ３５の送り出し量を超えたときに、空気を取り込むようにして、所定量以上の液剤の流出を防止するようにしている。
【００３９】
また、別に設ける制御手段を介して、液剤ポンプ３５と電磁式の開閉弁３７の駆動を制御することで、貯液タンク３１に貯留された液剤の噴霧のオン・オフと液剤濃度と噴霧量を制御することができる。
【００４０】
上記制御手段は、各種洗車モードの設定や洗車操作の開始を設定する操作パネル７に設けることが好ましい。操作パネル７には、洗車モード選択ボタン７１、表示部７３、カード挿入口７４、紙幣挿入口７５、硬貨挿入口７６などが設けられている。さらに、本実施形態では、この操作パネル７に、液剤の製品情報を入力する入力部７２を設け、入力された製品情報を記憶する記憶部８１と、入力された製品情報の正誤を判定する判定部８２と、判定された製品情報の正誤に応じた所定の制御を行う制御部８０を設け、供給される液剤の正誤を判定し洗車機の駆動を制御する制御手段を配設する構成としている。
【００４１】
また、制御部８０に液剤噴霧制御部８３を電気的に接続し、この液剤噴霧制御部８３を介して液剤ポンプ３５と電磁式の開閉弁３７を制御する構成としている。
【００４２】
上記した構成であれば、入力部７２を介して入力された液剤の製品情報から、記憶部８１と判定部８２を介して、供給される液剤が正規の製品であるか否かが判定でき、正規の製品であることが確認されたときに制御部８０を介して、所定の洗車モードを実行することができる。また、洗車モード選択ボタン７１に予め設定された洗車モードと使用される液剤との整合性を確認して、適当な組み合わせかどうかを判定し、その旨を報知することも可能である。このようにして、液剤に応じた適当な洗車モードを確実に実行することができ、液剤に応じた所定の洗車効果を発揮することができる。報知する方法としては、表示部７３に文字表示することも、別に設けるスピーカを介して音声表示することもでき、特に限定するものではない。
【００４３】
また、貯液タンク３１に貯留された液剤の量を確認するセンサを設け、液剤の残存量が少なくなったことを報知して、貯留タンクに所定の液剤を補給する構成とすることができる。また、液剤の量を確認するセンサとして、液剤の残存量が下限値まで減少したことを検知する第一液剤検知センサ４２Ａと、該第一センサ４２Ａより増液した位置に設ける第二液剤検知センサ４２Ｂとを設けると、前記第一液剤検知センサ４２Ａが液剤の下限値を検出した後で、前記第二液剤検知センサ４２Ｂが増液を検知したときに、新たな液剤を補給したと判断することができる。このセンサとしては、タンクの外部からタンク内部の液面レベルを検知可能な、例えば、超音波式、静電容量式、光学式などのレベルセンサを用いることができ、タンクの材質や液剤のタイプにより適当なセンサを選択すればよい。
【００４４】
また、第一液剤検知センサ４２Ａと第二液剤検知センサ４２Ｂとの信号を検知する検知部８４を設け、この検知部８４を制御部８０に電気的に接続した構成とすれば、液剤を補給する操作に連動して新たな製品情報の入力を要求し、入力された製品情報の正誤を判定し、正規の液剤ではないと判定したときには、洗車モードを実行しない構成とすることができ、正規の液剤の製品情報に該当しない不適当な液剤の使用を防止することができる。
【００４５】
洗車機が複数の貯液タンク３１を備える構成であれば、これらの貯液タンク３１の全てに上記構成の液剤の噴霧手段と制御手段を組み込むことで、いずれか一種の液剤でも正規の液剤ではないと判定したときには、洗車モードを実行しない構成とすることができ、正規の液剤の製品情報に該当しない不適当な液剤の使用を確実に防止することができる。
【００４６】
さらに、製品情報が未入力または正規でない場合に、表示部７３に純正の液剤の使用を推奨するメッセージを表示する構成とすれば、液剤補給の際に誤った液剤を補給してしまったときに、洗車前にその旨を告知することができ、所定の洗車機能を提供する管理者にとっても、所望の洗車効果を期待するユーザーにとっても好ましい。
【００４７】
複数の貯液タンクを備える構成としては、例えば、図２のような構成とすることができる。この実施形態では、液剤Ａを貯留する貯液タンク３１Ａ、液剤Ｂを貯留する貯液タンク３１Ｂ、液剤Ｃを貯留する貯液タンク３１Ｃ、液剤Ｄを貯留する貯液タンク３１Ｄが配設されている。また、それぞれの貯液タンクには、配管３４、液剤ポンプ３５、サイフォンインジェクタ３６、電磁式の開閉弁３７、逆止弁４１、副給水ホース４０がそれぞれ設けられている。また、それぞれの貯液タンク３１（３１Ａ、３１Ｂ、３１Ｃ、３１Ｄ）にそれぞれ第一液剤検知センサ４２Ａと第二液剤検知センサ４２Ｂを設け、制御部８０を介してそれぞれの貯液タンク３１（３１Ａ、３１Ｂ、３１Ｃ、３１Ｄ）からの噴霧を制御する構成としている。
【００４８】
貯液タンク３１Ａにはサイフォンインジェクタ３６を介して第一洗剤ノズル１２が接続されており、貯液タンク３１Ｂにはサイフォンインジェクタ３６を介して撥水コートノズル１４が接続されており、貯液タンク３１Ｃにはサイフォンインジェクタ３６を介して第二洗剤ノズル１５が接続されており、貯液タンク３１Ｄにはサイフォンインジェクタ３６を介してワックスノズル１６が接続されている。また、主給水ホース３９から電磁式の開閉弁３７を介して、第一浄水ノズル１１と第二浄水ノズル１３とに接続している。
【００４９】
液剤Ａは、例えば液状の第一洗剤であり、液剤Ｂは液状の撥水コート剤であり、液剤Ｃは液状の第二洗剤であり、液剤Ｄは液状のワックスであり、それぞれ、第一洗剤ノズル１２、撥水コートノズル１４、第二洗剤ノズル１５、ワックスノズル１６から噴霧される構成としている。
【００５０】
貯液タンク３１は、貯液タンク３１Ａ、３１Ｂ、３１Ｃのように、載置台に設置する載置型の貯液タンクであっても、吊り具４３に吊り下げ自在な段状供給口３２Ａを備える貯液タンク３１Ｄのように、吊り下げ式の貯液タンクであってもよい。
【００５１】
貯液タンク３１（３１Ａ、３１Ｂ、３１Ｃ、３１Ｄ）は、洗車機に設けられるタンク収納部５０に収納されており、主給水ホース３９からサイフォンインジェクタ３６と電磁式の開閉弁３７と副給水ホース４０を介して分配している部分は分配配管部５１に収納されている。
【００５２】
そのため、図３に示す洗車機ＷＡでは、洗車機本体１にタンク収納部５０と分配配管部５１が図示される位置に設けられている。図４に示す洗車機ＷＢでは、洗浄機本体１Ａにタンク収納部５０と分配配管部５１が図示される位置に設けられている。
【００５３】
また、被洗浄車両ＣＡの進入通路部に操作パネル７が備える機能を有するリモートパネル７Ａを設けておき、該リモートパネル７Ａと操作パネル７とを電気的に接続しておき、所定の洗車条件を設定し、所定の洗車モードが実行可能であることを確認したあとで、洗車位置まで前進する構成とすることもできる。
【００５４】
上記したように、液剤の正誤を判定し、その結果により選択された洗車モードの実行を許可または不許可とする構成の洗車機システムであれば、液剤を補給する度に正規の液剤かどうかを確認するので、不正の液剤の使用を防止可能な洗車機システムとなる。
【００５５】
また、前記液剤の製品情報が入力されていない場合、もしくは、入力された製品情報が正規の製品情報ではないと判定された場合に、所定の洗車モードの選択を禁止することができる。このような構成であれば、正規の液剤が供給できない場合には、所定の洗車効果が得られない虞がある洗車モードを予め禁止することができ、ユーザーにとって有効な洗車機システムとなる。
【００５６】
さらに、前記液剤の製品情報が入力されていない場合、もしくは、入力された製品情報が正規の製品情報ではないと判定された場合に、液剤の使用を禁止する制御を行うことができる。このような構成であれば、正規の液剤でなければ、この液剤を用いた洗車を行うことができないので、ユーザーに正規の液剤を使用することを喚起することができる。
【００５７】
また、製品情報が未入力または正規でない場合に、表示部７３に純正の液剤の使用を推奨するメッセージを表示することができる。このような構成であれば、液剤の供給や補給の際に誤った液剤を使用してしまったときに、洗車を開始する前にその旨を告知することができ、所定の洗車機能を提供する管理者にとっても、所望の洗車効果を期待するユーザーにとっても好適な洗車機システムとなる。
【００５８】
次に、入力する製品情報について説明する。
【００５９】
製品情報は、正規の液剤製品を購入した際に付与されることが好ましく、純正の液剤のパッケージに記載された製品情報であることが好ましい。これは、入力される製品情報が、液剤の種類やタイプ、また、製造工場や製造時期の情報を含んでいることが好ましいからである。この構成であれば、純正の液剤を補給する際に、正しい製品情報を間違いなく入力可能となり、正規の製品を使用するユーザーにとって操作容易となる。
【００６０】
また、操作パネルに入力する製品情報は、同じ製品情報を複数回入力可能としていることが好ましい。同一の製品情報を複数回入力可能であれば、大きなパッケージに収納された純正の液剤を複数回に分けて繰り返し補給することができ、大きなパッケージサイズで運搬・貯蔵可能となって、コスト削減に寄与することができる。
【００６１】
上記構成の洗車機システムにおいて、前記操作パネルに、おなじ製品情報を入力する回数は、新たな液剤を収容しているパッケージサイズに応じて変更可能であることが好ましい。この構成であれば、正規の液剤のパッケージサイズに適宜対応可能であるので、任意の多品種の液剤に対応可能な洗車機および洗車機システムとなる。
【００６２】
製品情報は、前述した入力部７２から入力する構成としているので、入力部７２を数字や記号やアルファベット等が入力可能なテンキー構成としておくことで、複数桁の数字とアルファベットの組み合わせからなる模倣され難い製品情報とすることができる。また、操作パネル７が、カードリーダーを備えて磁気カードを読み込み可能であれば、純正の液剤のパッケージに所定の製品情報を記録した磁気カードを同封しておき、この磁気カードをカードリーダーで読み込み、新たな液剤の正しい製品情報を入力することができる。
【００６３】
上記したように本発明によれば、被洗浄車両と洗車機本体を前後方向に相対移動させながら、複数の貯液タンクに貯留された液剤をそれぞれ水により希釈して前記被洗浄車両へ噴霧して、前記被洗浄車両の洗車を行う洗車機に、液剤の製品情報を入力する入力部と、入力された製品情報を記憶する記憶部と、入力された製品情報の正誤を判定する判定部と、判定された製品情報の正誤により所定の制御を行う制御部を備えた構成としているので、所定の正規の液剤を使用した洗車を行い所定の洗車効果を発揮することが可能な洗車機および洗車機システムとなる。
【００６４】
また、本発明に係る製品情報は、純正の液剤のパッケージに記載された製品情報であるので、正規の製品を購入して使用するユーザーに確実に認知容易であり、操作容易な洗車機および洗車機システムとなる。さらに、正規の液剤でなければ、この液剤を用いた洗車を行うことができないので、ユーザーに正規の液剤を使用することを喚起することができる。
【００６５】
そのために、本発明に係る洗車機は、所定の良好な仕上がり状態が求められる洗車機に好適に適用される。また、本発明に係る洗車機システムは、複数の液剤を用いて複数の洗車モードを備える洗車機を使用する場合であっても、選択された所定の洗車モードの所定の仕上がりを確実に発揮可能な洗車機システムとして好適に適用される。
【図面の簡単な説明】
【００６６】
【図１】本発明に係る洗車機の要部構成を示す概略説明図である。
【図２】本発明に係る洗車機の配管状態を示す概略説明図である。
【図３】洗車機の第一実施形態の全体構成を示す側面図である。
【図４】洗車機の第二実施形態の全体構成を示す側面図である。
【符号の説明】
【００６７】
１    洗車機本体
２    レール
３    車輪
７    操作パネル
３１    貯液タンク
３５    液剤ポンプ
３６    サイフォンインジェクタ
３７    開閉弁
４２Ａ  第一液剤検知センサ
４２Ｂ  第二液剤検知センサ
７２    入力部
８０    制御部
８１    記憶部
８２    判定部
ＣＡ    被洗浄車両
ＷＡ    洗車機
【図１】
2010006260.tif 000003
【図２】
2010006260.tif 000004
【図３】
2010006260.tif 000005
【図４】
2010006260.tif 000006